(57)【特許請求の範囲】
【請求項１】
内部が空洞になっている吸塵手段と、この吸塵手段の空洞内の空気を吸引して前記吸塵手段内の塵埃を集める集塵手段とを備えた清掃装置であって、
前記吸塵手段の上面に、前記空洞の開口部となる複数の吸引口が形成され、前記各吸引口を開閉可能な蓋体が設けられ、
前記蓋体を付勢する弾性体が設けられ、前記蓋体は前記弾性体に付勢されて前記吸引口を閉じ、
前記蓋体には、ブラシが植設され、複数の横桟が吸塵手段に取り付けられ、前記ブラシは前記複数の横桟の間から上方に突出し、
前記複数の横桟は、清掃対象物を支え、
前記ブラシが前記清掃対象物に踏まれると、前記蓋体が前記吸引口を開き、
前記蓋体の一端部が水平に配置された軸を中心として回動自在に支えられ、
前記ブラシは前記蓋体の上面に植設され、前記蓋体の一端部から離れるほど長くなるように形成されていることを特徴とする清掃装置。
【請求項２】
請求項１に記載された清掃装置であって、
前記横桟の内部に発熱手段が設けられていることを特徴とする清掃装置。
【請求項３】
請求項１に記載された清掃装置であって、
清掃対象物にエアを吹き付けるエア吹出し手段が設けられていることを特徴とする清掃装置。
【請求項４】
請求項１に記載された清掃装置であって、
清掃対象物にオゾンを吹き付けるオゾン吹出し手段が設けられていることを特徴とする清掃装置。
【請求項５】
請求項１に記載された清掃装置であって、
清掃対象物に消毒液を吹き付ける消毒液吹出し手段が設けられていることを特徴とする清掃装置。
【請求項６】
請求項１に記載された清掃装置であって、
清掃対象物に紫外線を照射する紫外線照射手段が設けられていることを特徴とする清掃装置。
【請求項７】
請求項１に記載された清掃装置であって、
一対の吸塵手段が互いに並列に配置され、
前記清掃対象物が車両の一対の車輪であり、この車両の一対の車輪が前記一対の吸塵手段の前記複数の横桟上を進行できることを特徴とする清掃装置。
【発明の詳細な説明】
【０００１】
【発明の属する技術分野】
本発明は、車両の車輪等の清掃装置に関し、特に車両の車輪等を効率よく清掃することができる清掃装置に関するものである。
【０００２】
【従来の技術】
従来の人の靴底や車両の車輪等に付着した塵埃、粉塵等を除去する除塵装置は、図１２に示すとおりである（特許文献１参照）。
この除塵装置は、吸塵ボックス７０と吸塵ボックス７０に接続された図示しない集塵機を備えている。吸塵ボックス７０に複数の吸塵部８０が形成されている。各吸塵部８０には、吸引口となる貫通孔８１が吸塵ボックス７０の上面板７１に形成され、可動部材８２は、吸塵ボックス７０内に配置され、コイルバネ８３により図示上方に付勢されて貫通孔８１を塞いでいる。なお、基部材８４が吸塵ボックス７０の底板に固定され、コイルバネ８３は基部材８４に取付けられている。ブラシ８５が可動部材８２の上面に植設されている。
【０００３】
このため、車両の車輪、靴等がブラシ８５を踏みつけると、可動部材８２が下方に押されて、貫通孔８１から離れるので、ブラシ８５により擦られて車両の車輪、靴等から離れた塵埃等が可動部材８２と貫通孔８１との隙間から吸塵ボックス７０内に吸引され、前記集塵機に集められる。
【０００４】
【特許文献１】
特開２００１−２２４５４８号公報（第３頁、第５−７図）
【０００５】
【発明が解決しようとする課題】
しかし、上記従来の除塵装置では、上面板７１に形成した貫通孔８１同士の間隔を狭めることが困難であるので、上面板７１のうち貫通孔８１が形成されていない部分の割合を少なくすることが困難であり、このことが車輪、靴等に付着した塵埃等の吸引効率を高めるための障害になっていた。
そこで、本発明が解決しようとする課題は、吸引効率がよい車両の車輪、靴等の清掃装置を提供することである。
【０００６】
【課題を解決するための手段】
上記課題を解決するため、請求項１に記載された発明は、内部が空洞になっている吸塵手段と、この吸塵手段の空洞内の空気を吸引して前記吸塵手段内の塵埃を集める集塵手段とを備えた清掃装置であって、前記吸塵手段の上面に、前記空洞の開口部となる複数の吸引口が形成され、前記各吸引口を開閉可能な蓋体が設けられ、前記蓋体を付勢する弾性体が設けられ、前記蓋体は前記弾性体に付勢されて前記吸引口を閉じ、前記蓋体には、ブラシが植設され、複数の横桟が吸塵手段に取り付けられ、前記ブラシは前記複数の横桟の間から上方に突出し、前記複数の横桟は、清掃対象物を支え、前記ブラシが前記清掃対象物に踏まれると、前記蓋体が前記吸引口を開き、前記蓋体の一端部が水平に配置された軸を中心として回動自在に支えられ、前記ブラシは前記蓋体の上面に植設され、前記蓋体の一端部から離れるほど長くなるように形成されていることを特徴とする清掃装置である。
【０００７】
これにより、清掃対象物（例えば、車両の車輪、靴）がブラシを踏むと、蓋体がブラシに押されるので、蓋体が弾性体の付勢力に抗して移動し、吸引口を開く。吸引口は吸塵手段の内部の空洞の開口部（空洞に連通している場合を含む。）であるので、集塵手段が吸塵手段の空洞内の空気を吸引すると、前記ブラシにより清掃対象物から離れて吸引口に吸引された塵埃等が集塵手段に集められる。
そして、前記複数の横桟が清掃対象物を支えるので、前記複数の吸引口および前記蓋体は清掃対象物を支える必要がない。このため、前記複数の吸引口同士を隣接して設けることができるので、清掃対象物から剥離した塵埃等の吸引効率を高めることができる。
さらに、ブラシが清掃対象物に踏まれることにより、蓋体が回動して蓋体の他端側が下がっても、ブラシが清掃対象物に当たり易くなる。
【０００８】
さらに、請求項２に記載された発明は、上記請求項１に記載された発明において、前記横桟の内部に発熱手段（例えば電熱体）が設けられていることである。
これにより、前記横桟の内部に設けられた発熱手段が前記横桟にて支えられている清掃対象物を加熱するので、清掃対象物に付着している塵埃等が乾燥して清掃対象物から剥がれ易くなる。
【０００９】
さらに、請求項３に記載された発明は、上記請求項１に記載された発明において、清掃対象物にエアを吹き付けるエア吹出し手段が設けられていることである。
これにより、エア吹出し手段が清掃対象物にエアを吹き付けることにより、清掃対象物に付着している塵埃等を清掃対象物から剥がすことができる。
【００１０】
さらに、請求項４に記載された発明は、上記請求項１に記載された発明において、清掃対象物にオゾンを吹き付けるオゾン吹出し手段が設けられていることである。
これにより、オゾン吹出し手段が清掃対象物にオゾンを吹き付けることにより、清掃対象物に付着した細菌を殺すことができる。
【００１１】
さらに、請求項５に記載された発明は、上記請求項１に記載された発明において、清掃対象物に消毒液（例えば、消毒用アルコール、次亜塩素酸ナトリウム）を吹き付ける消毒液吹出し手段が設けられていることである。
これにより、消毒液吹出し手段が清掃対象物に消毒液を吹出すことにより、清掃対象物に付着した細菌を殺すことができる。
【００１２】
さらに、請求項６に記載された発明は、上記請求項１に記載された発明において、清掃対象物に紫外線を照射する紫外線照射手段が設けられていることである。
これにより、紫外線照射手段が清掃対象物に紫外線を照射することにより、清掃対象物を加熱して清掃対象物に付着した塵埃等が剥がれ易くなるとともに、清掃対象物に付着した細菌を殺すことができる。
【００１３】
さらに、請求項７に記載された発明は、上記請求項１に記載された発明において、一対の吸塵手段が互いに並列に配置され、前記清掃対象物が車両の一対の車輪であり、この車両の一対の車輪が前記一対の吸塵手段の前記複数の横桟上を進行できることである。
これにより、車両の一対の車輪（例えば車両の車軸の両端に取付られた車輪）が前記一対の吸塵手段の複数の横桟上を進行することにより、容易に車両の一対の車輪の清掃をすることができる。
【００１４】
【発明の実施の形態】
以下、本発明における実施の形態を図面に基づいて説明する。図１は、本発明の実施の形態に係わる清掃装置を示す。
図１において、清掃装置１０は、一対の互いに並列に配置された吸塵手段２０、２０ｘおよび集塵手段４０（図８参照）を備えている。吸塵手段２０の構造と吸塵手段２０ｘの構造は、同じである。集塵手段４０はホース４１により吸塵手段２０、２０ｘの各々に接続されている。
【００１５】
図２は、吸塵手段２０の平面の一部分を拡大して示し、図３は図２のＩＩＩ−ＩＩＩ断面を示し、図４は図３のＩＶ−ＩＶ断面を示す。
図２において、吸塵手段２０は、その内部が空洞３０（図３参照）になっている箱状のものである。吸塵手段２０の一対の側壁部２１、２２の間の上面には、空洞３０の開口部となる複数の吸引口３１が形成されている。
図４において、各吸引口３１は隣接するように一列に設けられている。各吸引口３１には、可動板３２（図４参照）が配置されている。可動板３２は、各吸引口３１を開閉するものであり、請求項における「蓋体」に相当する。可動板３２の一端部（図示左端部）は、水平に配置された軸３３により回動可能に支持され、軸３３に取付られたバネ３４により、矢印３４ａの方向に付勢されて、吸引口３１を閉じる。バネ３４は請求項における「弾性体」に相当する。可動板３２の他端部（図示右端部）の上面側には、切欠３２ａが形成され、可動板３２が吸引口３１を閉じたときには、切欠３２ａは隣接する可動板３２の一端部の下面の切欠３２ｂに当接している。
【００１６】
複数の横桟３６（グレーチングを含む。）は、互いに並列に、吸塵手段２０の一対の側壁部２１、２２間に差し渡されるように可動板３２の上位に位置して取付けられ（図２参照）、清掃対象物（例えば、図５の車輪６１）を支えることができる。各横桟３６には、線状の発熱体３６ａ（例えば電熱線）が埋め込まれている。なお、発熱体３６ａは請求項３における「発熱手段」に相当する。前記電熱線は図示しない電源から電力を供給される。
【００１７】
可動板３２の上面には、ブラシ３５が植設されている。ブラシ３５はブラシの列３５ａ、３５ｂ、３５ｃ、３５ｄに区分される。ブラシの列３５ａ〜３５ｄは、それぞれ各横桟３６の間から上方に突出している。
ブラシ３５は可動板３２の一端部（軸３３側）から離れるほど長くなるように形成されている。例えば、ブラシの列３５ａ〜３５ｄの頂部を点線ｘのようにすることができる。なお、ブラシの列３５ａ〜３５ｄの頂部を二点鎖線ｙ（山型）のようにすると、ブラシ３５が、点線ｘの場合よりも長い時間清掃対象物に接触するために、ブラシ３５のかきとり効果が増加し、清掃対象物の汚れが著しいときに有効である。また、二点鎖線ｚ（谷型）のようにすると、清掃対象物が軽い場合でも、ブラシ３５の下の発熱体３６ａが埋め込まれている横桟３６に清掃対象物が当たり易くなり、これにより清掃対象物の濡れを乾かして、清掃対象物に付着した塵埃等が剥離し易くすることができる。
【００１８】
図５、図６および図７は、吸塵手段２０の使用例を説明している。なお、図５は正面を示し、図６は右側面を示し、図７は断面を示している。
図５は、車両６０の一対の車輪６１を清掃する場合を示している。ここでは、車両６０の一対の車輪６１が一対の吸塵手段２０、２０ｘの上を通過することができる。ここで、図６に示すように、車輪６１はブラシ３５を踏みつつ、横桟３６上を矢印６５の方向に進行する。
【００１９】
図７において、ブラシ３５が車輪６１に踏まれると、可動板３２が下方に（矢印３４ａの方向と逆の方向に）回動し、吸引口３１を開く。その際、ブラシ３５の列３５ａ〜３５ｄは、車輪６１に押されて湾曲し、車輪６１が通過するときに、湾曲した状態からその弾力で元の状態に戻る。その時、車輪６１に付着した塵埃、粉塵等がブラシ３５により弾き飛ばされる。
なお、可動板３２が車両６０の進行方向（矢印６５の方向）に沿って配置され、各可動板３２のブラシ３５の長さが矢印６５の方向になるほど長く形成されているので、可動板３２が矢印３４ａの方向と逆の方向に回動しても、ブラシ３５が車輪６１にほぼ均一に当接するので、車輪６１の除塵が容易である。
【００２０】
集塵手段４０（図８参照）が吸塵手段２０の空洞３０内の空気を吸引しているので、吸塵手段２０外の空気が吸引口３１から吸塵手段２０の空洞３０内に吸引される。このため、上述のようにして車輪６１から剥離した塵埃、粉塵等は、吸引口３１内に吸引されて空洞３０内に落下する。そして、空洞３０内に落下した前記塵埃、粉塵等は、集塵手段４０に吸引されて集められる。集塵手段４０内にて、塵埃、粉塵等を含む空気はフィルタで濾過される。このフィルタで集められた塵埃、粉塵等は廃棄される。
なお、上述のように、車輪６１にブラシ３５が踏まれた可動板３２のみが吸引口３１を開くので、吸引風量を少なくでき、集塵手段４０に要求される空気の吸引能力を少なくすることができる。
【００２１】
図１において、板状の連結手段５１が吸塵手段２０と吸塵手段２０ｘの下面を連結している。連結手段５１は一対の板状部材５１ａ、５１ｂを備え、一対の板状部材５１ａ、５１ｂの間隔は、その長孔５１ｃとボルト５１ｄにより調節することができる。このため、吸塵手段２０、２０ｘの間隔を図５の一対の車輪６１の間隔に合わせることができる。
【００２２】
上昇する傾斜板５２が吸塵手段２０、２０ｘの図示手前に配置され、下降する傾斜板５３が吸塵手段２０、２０ｘの図示後方に配置されている。このため、清掃対象物となる図５の一対の車輪６１が傾斜板５２を利用して吸塵手段２０、２０ｘ上に進み、清掃が終了したときに、傾斜板５３を利用して吸塵手段２０、２０ｘから下りることができる。
【００２３】
図８は、図１の清掃装置の第１変形例を示す。図８においては、複数のエア吹出し口２４が、側壁部２１のうち吸引口３１（図１参照）側部分に形成されている。集塵手段４０から図示しないパイプにより送り込まれたエア（集塵手段４０のフィルタで濾過した排気）がエア吹出し口２４から吹き出て、清掃対象となる車輪６１等に吹き付けられる。これにより、車輪６１等に付着した塵埃、粉塵等が前記エアにより乾燥して、前記エアの風圧により車輪６１等から離れて落下する。エア吹出し口２４は請求項４における「エア吹出し手段」に相当する。
【００２４】
図９は、図１の清掃装置の第２変形例を示す。図９においては、複数のオゾン吹出し口２５が、側壁部２１のうち吸引口３１（図１参照）側部分に形成されている。オゾン発生部４３は、集塵手段４０に付設されている。オゾン発生部４３で発生したオゾンが集塵手段４０の前記排気と混合して図示しないパイプを通過して複数のオゾン吹出し口２５から吹出して、清掃対象物の殺菌をする。オゾン吹出し口２５およびオゾン発生部４３は、請求項５における「オゾン吹出し手段」に相当する。
【００２５】
図１０は、図１の清掃装置の第３変形例を示す。図１０においては、清掃対象物に消毒液（例えば、消毒用アルコール、次亜塩素酸ナトリウム）を吹き付ける消毒液吹出し手段が設けられている。清掃対象物を検知するセンサ２６ａが側壁部２１のうち吸引口３１（図１参照）側部分に設置され、側壁部２１内に消毒液のタンク２６ｂおよびポンプ２６ｃが配置され、複数の消毒液吹出し口２６が側壁部２１のうち吸引口３１側部分に形成されている。このため、センサ２６ａが清掃対象物を検知すると、ポンプ２６ｃがタンク２６ｂ内の消毒液を消毒液吹出し口２６から清掃対象物に吹き付けて、清掃対象物の消毒をする。消毒液吹出し口２６、タンク２６ｂおよびポンプ２６ｃは、請求項６における「消毒液吹出し手段」に相当する。
【００２６】
図１１は、図１の清掃装置の第４変形例を示す。図１１においては、紫外線灯２７が側壁部２１のうち吸引口３１側部分に配設されているので、紫外線灯２７が清掃対象物に紫外線を照射して、清掃対象物の殺菌をする。紫外線灯２７は請求項７における「紫外線照射手段」に相当する。
【００２７】
なお、上記の実施の形態においては、車両の車輪の清掃をしているが、車両には、台車、車椅子、自動車等が含まれる。また、上記横桟を補強することにより、重量のある自動車、トラック、フォークリフト等の清掃も可能となる。さらに、車両に限定されず、人が履いた状態の靴、草履、下駄、等の履き物等の清掃をすることもできる。
また、吸塵手段の形状は、図示されたものに限定されず、スーパーマーケット、ホテル、商店、工場の吸塵手段を設置する出入口などの大きさに会わせて、吸塵手段の形状・大きさを決定することができる。
また、横桟内の発熱体は無くてもよい。
また、ブラシの列の数は、図示されたものに限定されず、任意の数とすることができる。
【００２８】
【発明の効果】
請求項１に記載された発明によれば、清掃対象物を連続して清掃することができる。さらに、清掃対象物の各部分をほぼ均一に清掃することができる。
さらに、請求項２に記載された発明によれば、上記請求項１に記載された発明の効果とともに、発熱体を利用することにより清掃対象物を効率よく清掃することができる。
さらに、請求項３に記載された発明によれば、上記請求項１に記載された発明の効果とともに、エアを利用して清掃対象物を効率よく清掃することができる。
さらに、請求項４に記載された発明によれば、上記請求項１に記載された発明の効果とともに、オゾンを利用して清掃対象物に付着した細菌を減らすことができる。
さらに、請求項５に記載された発明によれば、上記請求項１に記載された発明の効果とともに、消毒液を利用して清掃対象物に付着した細菌を減らすことができる。
さらに、請求項６に記載された発明によれば、上記請求項１に記載された発明の効果とともに、紫外線を利用して清掃対象物を効率よく清掃できるとともに、清掃対象物に付着した細菌を減らすことができる。
さらに、請求項７に記載した発明によれば、上記請求項１に記載された発明の効果とともに、車両の一対の車輪を効率よく清掃することができる。
【図面の簡単な説明】
【図１】本発明の実施の形態に係わる清掃装置を示す斜視図である。
【図２】図１の清掃装置の吸塵手段の平面の一部分を拡大して示す平面図である。
【図３】図２のＩＩＩ−  ＩＩＩ断面を示す断面図である。
【図４】図３のＩＶ−ＩＶ断面を示す断面図である。
【図５】図１の清掃装置の使用例を示す正面図である。
【図６】図１の清掃装置の使用例を示す右側面図である。
【図７】図１の清掃装置の使用例を示す断面図である。
【図８】図１の清掃装置の第１変形例を示す説明図である。
【図９】図１の清掃装置の第２変形例を示す説明図である。
【図１０】図１の清掃装置の第３変形例を示す説明図である。
【図１１】図１の清掃装置の第４変形例を示す説明図である。
【図１２】従来例を示す断面図である。
【符号の説明】
１０  清掃装置
２０、２０ｘ  吸塵手段
２１、２２  側壁部
２４  エア吹出し口（エア吹出し手段）
２５  オゾン吹出し口（オゾン吹出し手段）
２６  消毒液吹出し口（消毒液吹出し手段）
２６ｂ  タンク（消毒液吹出し手段）
２６ｃ  ポンプ（消毒液吹出し手段）
２７  紫外線灯（紫外線照射手段）
３０  空洞
３１  吸引口
３２  可動板（蓋体）
３３  軸
３４  バネ（弾性体）
３５  ブラシ
３６  横桟
３６ａ  発熱体（発熱手段）
４０  集塵手段
４３  オゾン発生部（オゾン吹出し手段）
６１  車輪（清掃対象物）
【図１】
0003607268.tif 000002
【図２】
0003607268.tif 000003
【図３】
0003607268.tif 000004
【図４】
0003607268.tif 000005
【図５】
0003607268.tif 000006
【図６】
0003607268.tif 000007
【図７】
0003607268.tif 000008
【図８】
0003607268.tif 000009
【図９】
0003607268.tif 000010
【図１０】
0003607268.tif 000011
【図１１】
0003607268.tif 000012
【図１２】
0003607268.tif 000013